【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
記録媒体に記録されている元画像データを読み取る読み取り手段，
上記読み取り手段によって読み取られた上記元画像データによって表される元画像に含まれる所定の対象画像を検出する対象画像検出手段，
上記対象画像検出手段によって検出された対象画像を抽出する対象画像抽出手段，および
上記対象画像抽出手段によって抽出された対象画像を表す対象画像データを上記元画像データと関連づけて上記記録媒体に記録する記録制御手段，
を備えた対象画像記録装置であって，
上記元画像データが，サムネイル画像データ記録領域および元画像データ記録領域がそれぞれ定められている元画像ファイルの上記元画像データ記録領域に記録されており，
上記対象画像抽出手段によって抽出された対象画像のサムネイル画像を表すサムネイル対象画像データを生成するサムネイル対象画像データ生成手段をさらに備え，
上記記録制御手段が，
上記サムネイル対象画像データ生成手段によって生成されたサムネイル対象画像データを上記サムネイル画像データ記録領域に記録するものである，
対象画像記録装置。
【請求項２】
上記サムネイル画像データ記録領域がサムネイル元画像データ記録領域とサムネイル対象画像データ記録領域とに分かれており，上記サムネイル元画像データが上記サムネイル元画像データ記録領域に記録され，上記サムネイル対象画像データが上記サムネイル対象画像データ記録領域に記録されるものである，
請求項１に記載の対象画像記録装置。
【請求項３】
上記サムネイル対象画像データ記録領域が複数設けられており，上記対象画像抽出手段によって抽出された対象画像が複数かどうかを判定する判定手段をさらに備え，
上記記録制御手段が，
上記判定手段によって複数の対象画像が抽出されたことに応じてそれらの複数の対象画像から上記サムネイル対象画像データ生成手段によって生成された複数のサムネイル対象画像データのそれぞれを別々の上記サムネイル対象画像データ記録領域に記録するものである，
請求項２に記載の対象画像記録装置。
【請求項４】
上記サムネイル元画像データ記録領域に記録されているサムネイル元画像データおよび上記サムネイル対象画像データ記録領域に記録されているサムネイル対象画像データを読み取る読み取り手段，ならびに
上記読み取り手段によって読み取られた上記サムネイル元画像データによって表されるサムネイル元画像と上記サムネイル対象画像データによって表されるサムネイル対象画像とを同一画面上に表示するように表示装置を制御する第１の表示制御手段，
をさらに備えた請求項１から３のうちいずれか一項に記載の対象画像記録装置。
【請求項５】
上記表示装置に表示された対象画像を指定する対象画像指定手段，および
上記表示装置に表示された元画像のうち上記対象画像指定手段によって指定された対象画像の部分を明示するように上記表示装置を制御する第２の表示制御手段，
をさらに備えた請求項４に記載の対象画像記録装置。
【請求項６】
上記第１の表示制御手段が，
上記読み取り手段によって読み取られた上記元画像データによって表される元画像の大きさと上記対象画像データによって表される対象画像の大きさとが同じ大きさとなるように，元画像と対象画像とを同一画面上に表示するように表示装置を制御するものである，
請求項４または５に記載の対象画像記録装置。
【請求項７】
上記第１の表示制御手段が，
上記読み取り手段によって読み取られた上記元画像データによって表される元画像と上記対象画像データによって表される対象画像とを対応して同一画面上に表示するように表示装置を制御するものであり，
上記第１の表示制御手段による制御のもとに同一画面上に表示される元画像と対象画像とを出力する出力装置，
をさらに備えた請求項４から６のうちいずれか一項に記載の対象画像記録装置。
【請求項８】
上記対象画像抽出手段によって抽出された対象画像のリサイズ，明るさ補正，色補正，シャープネス補正およびノイズ低減処理の少なくとも一つの画像処理を行う対象画像処理手段をさらに備え，
上記記録制御手段が，
上記対象画像処理手段による処理が行われた対象画像を表す対象画像データを上記記録媒体に記録するものである，
請求項１から７のうちいずれか一項に記載の対象画像記録装置。
【請求項９】
上記対象画像が顔画像であり，上記サムネイル対象画像がサムネイル顔画像である，請求項１から８のうちいずれか一項に記載の対象画像記録装置。
【請求項１０】
被写体を撮像し，被写体像を表す元画像データを出力する撮像手段，
上記撮像手段から出力された上記元画像データによって表される元画像に含まれる顔の画像を検出する顔画像検出手段，
上記顔画像検出手段によって検出された顔の画像を抽出する顔画像抽出手段，
上記撮像手段から出力された上記元画像データによって表される元画像のサムネイル画像データを生成するサムネイル元画像データ生成手段，
上記顔画像抽出手段によって抽出された顔画像のサムネイル画像を表すサムネイル顔画像データを生成するサムネイル顔画像データ生成手段，ならびに
上記サムネイル元画像データ生成手段によって生成されたサムネイル元画像データ，上記サムネイル顔画像データ生成手段によって生成されたサムネイル顔画像データおよび上記撮像手段から出力された元画像データを一つの元画像ファイルに格納して記録媒体に記録する記録制御手段，
を備えた撮像装置。
【請求項１１】
読み取り手段が，記録媒体に記録されている元画像データを読み取り，
対象画像検出手段が，読み取られた上記元画像データによって表される元画像に含まれる所定の対象画像を検出し，
対象画像抽出手段が，検出された顔の画像を抽出し，
記録制御手段が，抽出された顔の画像を表す対象画像データを上記元画像データと関連づけて上記記録媒体に記録する，
対象画像記録装置の制御方法であって，
上記元画像データが，サムネイル画像データ記録領域および元画像データ記録領域がそれぞれ定められている元画像ファイルの上記元画像データ記録領域に記録されており，
サムネイル対象画像データ生成手段が，抽出された対象画像のサムネイル画像を表すサムネイル対象画像データを生成し，
上記記録制御手段は，上記サムネイル対象画像データ生成手段が生成したサムネイル対象画像データを上記サムネイル画像データ記録領域に記録する，
対象画像記録装置の制御方法。
【請求項１２】
被写体を撮像し，被写体像を表す元画像データを得，
得られた上記元画像データによって表される元画像に含まれる顔の画像を検出し，
検出された顔の画像を抽出し，
撮像によって得られた上記元画像データによって表される元画像のサムネイル画像データを生成し，
抽出された顔画像のサムネイル画像を表すサムネイル顔画像データを生成し，
生成されたサムネイル元画像データ，生成されたサムネイル顔画像データおよび撮像によって得られた元画像データを一つの元画像ファイルに格納して記録媒体に記録する，
撮像装置の制御方法。
【請求項１３】
第１の記録媒体に記録されている元画像データを読み取らせ，
読み取られた上記元画像データによって表される元画像に含まれる所定の対象画像を検出させ，
検出された対象画像を抽出させ，
抽出された対象画像を表す対象画像データを上記元画像データと関連づけて第２の記録媒体に記録させるように対象画像記録装置を制御するプログラムであって，
上記元画像データが，サムネイル画像データ記録領域および元画像データ記録領域がそれぞれ定められている元画像ファイルの上記元画像データ記録領域に記録されており，
抽出された対象画像のサムネイル画像を表すサムネイル対象画像データを生成させ，
生成されたサムネイル対象画像データを上記サムネイル画像データ記録領域に記録させるように対象画像記録装置を制御するプログラム。
【請求項１４】
被写体を撮像し，被写体像を表す元画像データを取得させ，
得られた上記元画像データによって表される元画像に含まれる顔の画像を検出させ，
検出された顔の画像を抽出させ，
撮像によって得られた上記元画像データによって表される元画像のサムネイル画像データを生成させ，
抽出された顔画像のサムネイル画像を表すサムネイル顔画像データを生成させ，
生成されたサムネイル元画像データ，生成されたサムネイル顔画像データおよび撮像によって得られた元画像データを一つの元画像ファイルに格納して記録媒体に記録させるように撮像装置を制御するプログラム。
【手続補正２】
【補正対象書類名】明細書
【補正対象項目名】発明の名称
【補正方法】変更
【補正の内容】
【発明の名称】対象画像記録装置および撮像装置ならびにそれらの制御方法